(57)【要約】【課題】本考案は、1枚ずつ使えるプレートを重ねても使用できるようにした家具である。一般的な盆・膳は、1枚ずつの使用のみのための道具であり、それ以外での使用は出来ないが、この考案は、重ねて使用できるようにすることで、多くの使用方法を提供するものである。【解決手段】支柱をセットすることでプレートを重ねても崩れることなく使用できるようにした。更に、支柱を組み立て式とし、重ねるプレートの枚数により高さを調整できる。それにより、テーブル・飾り棚等としても使用できるようにした。プレートは回転することが出来、全体のデザインを変えることが出来る。【選択図】図2
0003126152.tif 000002
【実用新案登録請求の範囲】
【請求項１】
取り外して使用できるプレートで構成させる家具。
【請求項２】
組み立て式の支柱により高さを調整し、プレートの枚数を増減して使用できる家具。
【請求項３】
プレートを回転させることで、デザインを変えることの出来る家具。
【考案の詳細な説明】
【技術分野】
【０００１】
本考案は、取り外して使用できるプレートで構成される家具に関するものである。
【背景技術】
【０００２】
伝統的な道具に盆・膳があるが、これは通常は、お茶・食事等の食器を置くための台座として1人1枚ずつ使用するものである。来客の人数にあわせ盆・膳を増やすことで使用できる人数に制約のあるテーブル等と違い、人数が増えてもフレキシブルに対応出来る道具である。しかし、来客時にフレキシブルに対応するためには数多くの盆・膳を用意する必要があるが、来客時以外は、多くの数は必要がなく、収納しておくこととなる。そのため、大きな収納場所が必要であった
収納スペースを小さくするための工夫をしたものでは、（特許文献１、2、3、4、5参照）が知られている。
【特許文献１】登録実用新案第３０３５３０４号
【特許文献２】登録実用新案第３０８１４１６号
【特許文献３】登開６−８６６５１
【特許文献４】登公５−５５９２９
【特許文献５】特開２０００−６０７１４
【考案の開示】
【考案が解決しようとする課題】
【０００３】
しかし、1枚ずつ使用する以外では、使用方法が想定されていなかった。
本考案は、以上問題点を解決するために、プレートを重ねたときにも、それが崩れないようにセットされ、一体で使用出来るように工夫した。それにより、テーブル・飾り棚等としての機能が付加され、常時使用できるものとした。
【課題を解決するための手段】
【０００４】
プレート中央部分に支柱をセットすることで、プレートを重ねた状態でテーブル・飾り棚等としての使用を可能とした。
【考案の効果】
【０００５】
支柱を組み立て式とすることで高さが調整できるようにし、重ねて使用する場合の高さにバリエーションを増した。それにより、テーブル・飾り棚等の使用方法が飛躍的に広がった。また、プレートを回転できるようにし、回転させることで全体のデザインを変化できるようにした。
【考案を実施するための最良の形態】
【０００６】
以下、本考案の構成と使用法を説明する。
（イ）      
本考案家具を天板（１）プレート（２）底板（３）支柱（４）の4構造とする。
（ロ）      
プレート（２）には、支柱を通すための貫通穴（７）を施す。
（ハ）      
支柱（４）は、連結金物（５）を使用しての組み立て式とし、長さを調整して使用できる。
本考案は、以上の構成よりなる。
本考案家具を使用する場合は、底板に支柱を連結し、支柱にプレートを通して重ねていく、最上段に天板を連結しテーブルとして使用する。また、支柱を短く設定し、プレート半数のみを通して重ねることで、テーブルより高さの低い飾り棚として使用することが出来る。
【図面の簡単な説明】
【０００７】
【図１】本考案の正面図
【図２】本考案の断面図
【図３】本考案のプレート平面図
【図４】本考案の使用状況補足図
【符号の説明】
【０００８】
１    天板
２    プレート
３    底板
４    支柱
５    連結金物
６    カバー用段差
７    支柱用穴
８       カバー
【図１】
0003126152.tif 000003
【図３】
0003126152.tif 000004
【図２】
0003126152.tif 000005
【図４】
0003126152.tif 000006
【手続補正書】
【提出日】平成18年8月1日(2006.8.1)
【手続補正１】
【補正対象書類名】実用新案登録請求の範囲
【補正対象項目名】全文
【補正方法】変更
【補正の内容】
【実用新案登録請求の範囲】
【請求項１】
お茶等に使用する膳において、上面に深さ2〜5ｍｍの円形の掘り込みとその中央部に支柱に通すための貫通穴を有し、積み重ね時下段の掘り込み内に挿入されるよう円形に形成した脚を有する膳で、上面掘り込みにカバーを落とし込んで1枚ずつ独立して使用でき、更にそれらを台座に連結した支柱に貫通穴を通して複数段積み重ね、最上段に貫通穴を有しない天板を重ね連結具を用いて支柱最上部に連結することにより、テーブルとして使用できることを特徴とする重ねた膳で構成されるテーブル。
【手続補正２】
【補正対象書類名】明細書
【補正対象項目名】全文
【補正方法】変更
【補正の内容】
【考案の詳細な説明】
【技術分野】
【０００１】
本考案は単独でも使用できる膳を複数枚重ねた状態でも使用可能とした重ねた膳で構成されるテーブルに関する。    
【背景技術】
【０００２】
従来の食器・食物を載せる台である膳は、単独で使用するものであり、積み重ねての使用は想定されていない。非使用時、積み重ねての収納方法を工夫したものに下記の文献がある。      
【特許文献１】実開Ｈ５−５５９２９
【特許文献２】特開２０００−６０７１４
【考案の開示】
【考案が解決しようとする課題】
【０００３】
従来の膳は、単独以外で使用できないため、使用頻度が限られることとなり、非使用時の収納場所の確保が必要であった。収納スペースを小さくするため、積み重ね方を工夫したものに脚形状を工夫した
【特許文献１】全体をコンパクトにした
【特許文献２】があるが、これらは重ねた状態では使用出来ない。
【０００４】
本考案は、従来の膳に新たな使用用途を付加しようとするものであって、重ねた状態で膳全体を1つのテーブルとして使用することで、使用用途を大きく広げ、常時使用を可能とさせ、収納スペースの確保の必要がなくなるものを提供しようとするものである。    
【課題を解決するための手段】
【０００５】
上記課題を解決するため、本考案の重ねた膳で構成されるテーブルは、上面に深さ2〜5ｍｍの円形の掘り込みとその中央部に支柱に通すための貫通穴を有し、積み重ね時下段の掘り込み内に挿入されるよう円形に形成した脚を有する膳で、上面掘り込みにカバーを落とし込んで1枚ずつ独立して使用でき、更にそれらを台座に連結した支柱に貫通穴を通して複数段積み重ね、最上段に貫通穴を有しない天板を重ね連結具を用いて支柱最上部に連結することにより、テーブルとして使用できることを特徴とする。    
【考案の効果】
【０００６】
本考案の重ねた膳で構成されるテーブルは、台座に連結した支柱に膳中央部の貫通穴を通し重ねていくため、複数段重ねた状態でも非常に安定している、貫通穴を有しない天板を最上段に重ねることで、全体でテーブルとして使用することが可能であり使用用途を大きく広げることが出来る。      
【０００７】
膳を1枚ずつ独立して使用する時、上面2〜5ｍｍの円形掘り込みは、革・樹脂・布等で製作したカバーを落とし込んで使用することが可能で、それは貫通穴を隠す効果があり、更にカバーの意匠を変化させることで膳の使用用途が広がり経済的である。    
【考案を実施するための最良の形態】
【０００８】
以下、本考案の重ねた膳で構成されるテーブルの構造と使用法の１例を図面に基づき説明すれば、図１は積み重ねた状態の姿図、図２は重ねた状態の断面図、図３は膳の断面図、図４は膳の平面図、図５は実施例を示す斜面図であり、膳２と積み重ね時のみ使用する天板１台座３支柱４の4種部材で構成される。      
【０００９】
膳２は、図３、図４に示すように、支柱に通すためのФ20〜30の貫通穴８、上面には深さ2〜5ｍｍの円形掘り込み７が施され、脚６部分は上面円形掘り込みよりもФ1〜2ｍｍ小さい直径の円形となっている。      
【００１０】
支柱４は、図２に示すように台座３に連結具５を使用しての組み立て式とし、２分割となっていて、使用目的による高さ調整が可能である。      
【００１１】
天板１は、図２に示すように貫通穴は有さず、深さ2〜5ｍｍの円形掘り込み７、上面円形掘り込みよりもФ1〜2ｍｍ小さい直径の円形脚６部分を有し、脚部分裏面中央に連結具５が埋め込まれている。      
【００１２】
本考案の重ねた膳で構成されるテーブルの膳を１枚ずつ使用する場合は、図５に示すように上面掘り込みにカバー９を落とし込み貫通穴を隠して使用する。      
【００１３】
膳を図２で示すように積み重ねてテーブルとして使用する場合は、台座に支柱４を連結具５を用いて連結し、支柱４に膳２の貫通穴を通して重ねていく、最上段に天板１を重ね支柱に連結具５を用いて連結し、図１で示すような形状で使用する、更に支柱を短く設定し、上記の場合の半数の膳のみを通して重ねることで、テーブルより高さの低い飾り棚として図５で示すような形状でも使用することも出来る。    
【図面の簡単な説明】
【００１４】
【図１】本考案膳を積み重ねた状態の姿図
【図２】本考案の積み重ねた状態の断面図
【図３】本考案の膳の断面図
【図４】本考案の膳の平面図
【図５】本考案の実施例を示す斜面図
【符号の説明】
【００１５】
１    天板        ２    膳        ３    台座        ４    支柱        ５    連結具        ６    脚        ７    掘り込み        ８    貫通穴        ９    カバー
【手続補正３】
【補正対象書類名】図面
【補正対象項目名】全図
【補正方法】変更
【補正の内容】
【図１】
0003126152.tif 000007
【図２】
0003126152.tif 000008
【図３】
0003126152.tif 000009
【図４】
0003126152.tif 000010
【図５】
0003126152.tif 000011